(57)【要約】【課題】自動でユーザの趣向を調査することが可能な趣向調査方法を提供する。【解決手段】複数の施設のそれぞれについて、名称、所定の位置範囲が定められた所在地、及びカテゴリが登録された施設データベース２２を準備し、ＧＰＳ機能を有するユーザの通信端末装置３から位置情報を受信して、複数の施設の中の対象施設の所在地内での滞在時間を算出し、滞在時間が所定の閾値以上であれば、対象施設を利用施設と判定し、利用施設の名称、カテゴリ、及び利用日時をユーザの趣向データベース２４に登録することを含む。【選択図】図１
2013161386.tif 000002
【特許請求の範囲】
【請求項１】
ユーザの趣向を特定するサーバにおける趣向調査方法であって、
複数の施設のそれぞれについて、名称、所定の位置範囲が定められた所在地、及びカテゴリが登録された施設データベースを準備し、
ＧＰＳ機能を有するユーザの通信端末装置から位置情報を受信して、前記複数の施設の中の対象施設の所在地内での滞在時間を算出し、
前記滞在時間が所定の閾値以上であれば、前記対象施設を利用施設と判定し、
前記利用施設の名称、カテゴリ、及び利用日時を前記ユーザの趣向データベースに登録する
ことを含むことを特徴とする趣向調査方法。
【請求項２】
前記通信端末装置は、カーナビゲーションシステムであり、前記位置情報が、前記カーナビゲーションシステムの電源の切断時及び投入時に送信され、前記滞在時間が、前記電源の切断時間と、前記切断後の再投入時間とから算出されることを特徴とする請求項１に記載の趣向調査方法。
【請求項３】
前記通信端末装置は、一定の時間間隔で前記位置情報を送信する携帯端末装置であり、前記滞在時間が、前記対象施設の所在地内の前記携帯端末装置から送信された前記位置情報の開始時間と終了時間とから算出されることを特徴とする請求項１に記載の趣向調査方法。
【請求項４】
ＧＰＳ機能を有する通信端末装置と、ユーザの趣向を特定するサーバとを備える趣向調査システムであって、前記サーバが、
複数の施設のそれぞれについて、名称、所定の位置範囲が定められた所在地、及びカテゴリが登録された施設データベースを格納する記憶部と、
前記通信端末装置から位置情報を受信する受信部と、
前記位置情報から、前記複数の施設の中の対象施設の所在地内での滞在時間を算出する算出部と、
前記滞在時間が所定の閾値以上であれば、前記対象施設を利用施設と判定する判定部と、
前記利用施設の名称、カテゴリ、及び利用日時を前記ユーザの趣向データベースに登録する登録部
とを備えることを特徴とする趣向調査システム。
【請求項５】
前記通信端末装置は、カーナビゲーションシステムであり、前記位置情報が、前記カーナビゲーションシステムの電源の切断時及び投入時に送信され、前記算出部が、前記電源の切断時間と、該切断後の再投入時間とから前記滞在時間を算出することを特徴とする請求項４に記載の趣向調査システム。
【請求項６】
前記通信端末装置は、一定の時間間隔で前記位置情報を送信する携帯端末装置であり、前記算出部が、前記対象施設の所在地内の前記携帯端末装置から送信された前記位置情報の開始時間と終了時間とから前記滞在時間を算出することを特徴とする請求項４に記載の趣向調査システム。
【発明の詳細な説明】
【技術分野】
【０００１】
本発明は、グローバルポジショニングシステムを用いる趣向調査方法及び趣向調査システムに関する。
【背景技術】
【０００２】
グローバルポジショニングシステム（ＧＰＳ）により現在の位置を取得し、ユーザに経路案内をするナビゲーション装置が普及している。近年では、ユーザの問い合わせに応じて、無線で接続されたサーバにより検索された周辺の施設を表示するナビゲーション装置も提供されている。このようなナビゲーション装置で最寄の食事処を問い合わせると、サーバから現在地周辺で登録された食事処が通知される。検索結果が多数に及ぶ場合もあり、ユーザの趣向に合った食事処を優先的に表示させることが望ましい。
【０００３】
ユーザの趣向は、サーバのホームページにおいてアンケートなどを行って特定される。あるいは、ユーザの趣向に合った設定にするため、ナビゲーション装置のセットアップを行ってもよい。しかしながら、サーバのホームページでのアンケートやナビゲーション装置でのセットアップは、ユーザに負担をかけ、望ましくない。また、ユーザの位置を追跡して所定の時間を費やした位置を特定し、その位置近傍の目的を特定する方法が提案されている（特許文献１参照）。
【先行技術文献】
【特許文献】
【０００４】
【特許文献１】特開２００９−７６０４２号公報
【発明の概要】
【発明が解決しようとする課題】
【０００５】
特許文献１の方法では、目的地の位置、時間、曜日、及び気象状態などの状況とユーザの行動とを関連付けたデータベースが作成される。このデータベースを参照してユーザの問い合わせ時の状況に応じた行動をユーザに推奨する。したがって、必ずしもユーザの趣向に合ったものではない。
【０００６】
本発明の目的は、自動でユーザの趣向を調査することが可能な趣向調査方法及び趣向調査システムを提供することにある。
【課題を解決するための手段】
【０００７】
本発明の一態様によれば、ユーザの趣向を特定するサーバにおける趣向調査方法であって、複数の施設のそれぞれについて、名称、所定の位置範囲が定められた所在地、及びカテゴリが登録された施設データベースを準備し、ＧＰＳ機能を有するユーザの通信端末装置から位置情報を受信して、複数の施設の中の対象施設の所在地内での滞在時間を算出し、滞在時間が所定の閾値以上であれば、対象施設を利用施設と判定し、利用施設の名称、カテゴリ、及び利用日時をユーザの趣向データベースに登録することを含む趣向調査方法が提供される。
【０００８】
本発明の他の態様によれば、ＧＰＳ機能を有する通信端末装置と、ユーザの趣向を特定するサーバとを備える趣向調査システムであって、サーバが、複数の施設のそれぞれについて、名称、所定の位置範囲が定められた所在地、及びカテゴリが登録された施設データベースを格納する記憶部と、通信端末装置から位置情報を受信する受信部と、位置情報から、複数の施設の中の対象施設の所在地内での滞在時間を算出する算出部と、滞在時間が所定の閾値以上であれば、対象施設を利用施設と判定する判定部と、利用施設の名称、カテゴリ、及び利用日時をユーザの趣向データベースに登録する登録部とを備える趣向調査システムが提供される。
【発明の効果】
【０００９】
本発明によれば、自動でユーザの趣向を調査することが可能な趣向調査方法及び趣向調査システムを提供することが可能となる。
【図面の簡単な説明】
【００１０】
【図１】本発明の実施の形態に係る趣向調査システムの一例を示す概略図である。
【図２】本発明の実施の形態に係る趣向調査システムで用いる施設データベースの一例を示す概略図である。
【図３】本発明の実施の形態に係る趣向調査システムによる位置情報通信の説明に用いる概略図である。
【図４】本発明の実施の形態に係る趣向調査システムによる利用施設判定の一例を示す概略図である。
【図５】本発明の実施の形態に係る趣向調査システムで用いる趣向データベースの一例を示す外観図である。
【図６】本発明の実施の形態に係る趣向調査システムで用いる趣向データベースの他の例を示す概略図である。
【図７】本発明の実施の形態に係る趣向調査システムによる利用施設判定の他の例を示す概略図である。
【発明を実施するための形態】
【００１１】
以下図面を参照して、本発明の形態について説明する。以下の図面の記載において、同一または類似の部分には同一または類似の符号が付してある。但し、図面は模式的なものであり、装置やシステムの構成等は現実のものとは異なることに留意すべきである。したがって、具体的な構成は以下の説明を参酌して判断すべきものである。また図面相互間においても互いの構成等が異なる部分が含まれていることは勿論である。
【００１２】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１３】
本発明の実施の形態に係る趣向調査システムは、図１に示すように、サーバ１及び通信端末装置３を備える。サーバ１は、処理ユニット５及び記憶部７を備える。処理ユニット５は、受信部１２、算出部１４、判定部１６、登録部１８、及び送信部２０を備える。記憶部７は、施設データベース２２及び趣向データベース２４を格納する。
【００１４】
サーバ１は、図２に示すように、予めインターネットなどを介して、複数の施設の情報を登録した施設データベース２２を準備して記憶部７に格納する。施設データベース２２には、複数の施設について、施設の登録番号、所在地、施設名、カテゴリ、タグなどが登録される。例えば、所在地は、緯度／経度で表され、所定の位置範囲が定められる。同じ施設名の施設が複数あれば、複数の所在地が登録される。例えば、登録番号０の施設名Ａについて、複数の所在地の緯度／経度Ａ１／ａ１、Ａ２／ａ２、Ａ３／ａ３、Ａ４／ａ４が登録される。同様に、登録番号１の施設名Ｂについて、緯度／経度Ｂ１／ｂ１、Ｂ２／ｂ２、Ｂ３／ｂ３、登録番号２の施設名Ｃについて、緯度／経度Ｃ１／ｃ１、Ｃ２／ｃ２、及び登録番号３の施設名Ｄについて、緯度／経度Ｄ１／ｄ１などが、それぞれ登録される。カテゴリとして、「ファーストフード」、「レストラン」などの「主カテゴリ」、及び「ハンバーガ」、「牛丼」、「ステーキ」などの「副カテゴリ」などが登録される。タグとして、キャンペーン情報、格付け情報などが登録される。
【００１５】
通信端末装置３は、図３に示すように、ＧＰＳ衛星３０から信号ＳＳを受信して測位した位置情報ＣＬを定期的にサーバ１に送信する。位置情報ＣＬが、施設３４の所在地を規定する位置範囲Ｒｌ内であれば、サーバ１は、ユーザ３２が施設３４内に滞在していると判定する。通信端末装置３には、携帯電話、ノートパソコン、ＰＤＡなどの携帯端末装置などが用いられる。
【００１６】
処理ユニット５の受信部１２は、通信端末装置３から位置情報ＣＬを定期的に受信する。算出部１４は、受信した位置情報ＣＬから、施設データベース２２に登録された施設の所在地内での滞在時間を算出する。判定部１６は、滞在時間を所定の閾値と比較して、滞在時間が閾値以上であれば施設を利用したと判定する。登録部１８は、利用した施設の施設名、カテゴリ、利用日時などをユーザの趣向データベース２４に登録する。送信部２０は、ユーザの問い合わせに応じて、ユーザの趣向に基づくサービスを送信する。
【００１７】
図４に示すように、ユーザが登録施設の外から、施設Ａを経由して施設Ｂを利用した場合について説明する。ユーザは、時間Ｔａで施設Ａの位置範囲内に入り、時間（Ｔａ＋ｄａ）で施設Ａの位置範囲から出る。サーバ１は、時間Ｔａ直後の時間Ｔｊで施設Ａの所在地からの位置情報ＣＬを受信し、時間（Ｔａ＋ｄａ）直後の時間Ｔｋで施設Ａ外からの位置情報ＣＬを受信する。時間Ｔｊと時間Ｔｋの差から、施設Ａでの滞在時間Ｄａが算出される。同様に、ユーザは、時間Ｔｂで施設Ｂの位置範囲内に入り、時間（Ｔｂ＋ｄｂ）で施設Ｂの位置範囲から出る。サーバ１は、時間Ｔｂ直後の時間Ｔｍで施設Ｂの所在地からの位置情報ＣＬを受信し、時間（Ｔｂ＋ｄｂ）直後の時間Ｔｎで施設Ｂ外からの位置情報ＣＬを受信する。時間Ｔｍと時間Ｔｎの差から、施設Ｂでの滞在時間Ｄｂが算出される。滞在時間Ｄａが閾値Ｔｈ未満で、施設Ａは利用されて無いと判定される。一方、滞在時間Ｄｂが閾値Ｔｈ以上で、施設Ｂは利用されたと判定される。
【００１８】
このようにして、サーバ１では、各ユーザ毎に施設利用のデータを蓄積し、ユーザ専用の趣向データベース２４が自動的に作成される。例えば、図５に示すように、ユーザ個人の趣向データベース２４に施設データベース２２から抽出された各施設毎の利用回数が登録される。ユーザから食事検索の問い合わせがあった場合、サーバ１は、趣向データベース２４を参照し、このユーザはファーストフード、特に施設Ａのハンバーグが好みであると判断する。サーバ１は、最寄の食事ナビゲーション検索を行い、検索結果に施設Ａが存在すれば、ユーザの通信端末装置３に送信する食事案内の１ページ目に優先的に表示させる。もし、最寄の位置に施設Ａがなければ、趣向データベース２４から、利用頻度の高い施設、例えば施設Ｂを優先的に表示させる。
【００１９】
上述のように、実施の形態に係る趣向調査システムでは、サーバ１がユーザの通信端末装置３から定期的に位置情報を受信して、施設の滞在時間を算出して施設利用の判定を行う。この処理は、サーバ１側で処理される。したがって、ユーザに負担を欠けることなく、自動的にユーザの趣向を特定することができる。
【００２０】
また、図２に示したように、施設データベース２２には、タグとしてキャンペーンなどの情報が付加されている。キャンペーンにフォーカスして、趣向データベース２４の表示をソートしなおすと、図６に示すように、施設Ａ、Ｃ、Ｄのキャンペーン情報と利用時間を特定することができる。このユーザは普段利用してない施設でも、キャンペーン中であれば進んで利用していると判断できる。例えば、現時点のキャンペーン情報で、通常の値段からのキャンペーンの値段の割引率を付加し、割引率の高い施設を優先的に表示することもできる。また、趣向データベース２４は、ユーザの趣向に合った施設のクーポン情報などの収集にも利用することができる。
【００２１】
また、趣向データベース２４から、ユーザの趣向を特定して種々の検索に利用することができる。例えば、ユーザの趣向データベース２４から、このユーザが安価なもの、割引によるお得感に興味があると特定できるとする。このような場合、宿泊の検索を行う際に、趣向データベース２４に登録された価格、キャンペーンなどの情報から検索結果のリストの優先表示順番を決定することができる。
【００２２】
また、趣向データベース２４をメディア検索に用いることもできる。その場合、施設として東京ドームやＺｅｐｐ東京などが登録されているとする。施設の所在地や利用時間を登録し、利用した各施設にアーティストを関連付けておく。例えば、趣向データベース２４から、東京ドームとＺｅｐｐ東京の両方でレディーガガの出演がピックアップされたとする。ユーチューブなどの動画検索、お奨めのＴＶ番組検索、ラジオ検索などで、レディーガガが優先表示される。あるいは、カテゴリとして、例えば、トップ４０の女性ボーカルをキーワードにして優先表示することができる。
【００２３】
なお、上述の説明では、通信端末装置３として、携帯端末装置を用いているが、カーナビゲーションシステム（以下、カーナビと称す）を用いてもよい。カーナビを通信端末装置３として用い、図４と同様の利用施設判定が可能である。
【００２４】
また、通信端末装置３としてカーナビを用いる場合、カーナビが搭載された自動車のアクセサリ電源の切断及び投入の信号を用いて、利用施設判定を行うこともできる。図７に示すように、ユーザの運転する自動車が、時間Ｔｃに施設Ｃの所在地範囲内で駐車したとする。ユーザがアクセサリ電源を切断にすると、カーナビからオフ信号ＡＦがサーバ１に送信される。このとき、オフ信号ＡＦと同時に位置情報ＣＬも送信される。その後、時間（Ｔｃ＋Ｄｃ）にユーザが自動車のアクセサリ電源を投入すると、カーナビからオン信号ＡＮとともに、位置情報ＣＬがサーバ１に送信される。サーバ１は、位置情報ＣＬからユーザの自動車が施設Ｃに駐車したことを特定し、施設Ｃでの滞在時間Ｄｃを算出する。滞在時間Ｄｃが閾値以上であれば、施設Ｃを利用したと判定する。
【００２５】
なお、自動車を利用する場合、施設から離れた駐車場に自動車を駐車しなければならない場合がある。このような場合は、駐車場の位置を施設に関連付けておけばよい。このような関連付けにより、駐車場の趣向データベースとして利用できる。例えば、駐車場に停めてから、ユーザが携帯端末装置などで近辺の利用施設を特定できた場合、利用施設の近くの駐車場を利用しているのか、あるいは利用施設から遠くても安い駐車場をよく利用しているかなどのユーザの趣向を特定することができる。ユーザの問い合わせに対して、対象施設とともに、ユーザの趣向に合った駐車場を優先的に表示することができる。
【００２６】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【符号の説明】
【００２７】
１…サーバ
３…通信端末装置
５…処理ユニット
７…記憶部
１２…受信部
１４…算出部
１６…判定部
１８…登録部
２０…送信部
２２…施設データベース
２４…趣向データベース
【図１】
2013161386.tif 000003
【図２】
2013161386.tif 000004
【図３】
2013161386.tif 000005
【図４】
2013161386.tif 000006
【図５】
2013161386.tif 000007
【図６】
2013161386.tif 000008
【図７】
2013161386.tif 000009